(57)【特許請求の範囲】
【請求項１】
着用時において動物の腹側に当てられる腹当て部と背側に当てられる背当て部とを止着して固定するための固定手段を設ける工程を含む動物用吸収性物品の製造方法であって、
前記固定手段を設ける工程は、
長尺状のテープ基材に止着用部材を取り付けるための止着用部材取付工程と、
前記止着用部材を取り付けた部分において固定突出片を一対有するように前記テープ基材を個々の固定部に切断する切断工程と、
前記固定部を前記腹当て部または前記背当て部の両側縁、あるいは前記腹当て部または前記背当て部の資材となるシート基材の両端において、少なくとも一つずつ取り付ける固定部取付工程と、
前記固定部取付工程の後に、一対の前記固定突出片の間において、前記固定部が取り付けられた前記腹当て部または前記背当て部、あるいは前記腹当て部または前記背当て部の資材となるシート基材を、前記固定部とともに、あるいは前記固定部とは無関係に、一部切り取る工程と、を含むものである動物用吸収性物品の製造方法。
【請求項２】
着用時において動物の腹側に当てられる腹当て部と背側に当てられる背当て部とを止着して固定するための固定手段を設ける工程を含む動物用吸収性物品の製造方法であって、
前記固定手段を設ける工程には、長尺状のテープ基材に止着用部材を取り付けるための止着用部材取付工程と、前記テープ基材を前記止着用部材を備えた一連のテープからなる個々の固定部に切断する切断工程と、前記固定部を前記腹当て部または前記背当て部の両側縁、あるいは前記腹当て部または前記背当て部の資材となるシート基材の両端において、少なくとも一つずつ取り付ける固定部取付工程と、当該取り付けられた固定部を切断して複数の固定突出片に分離する固定部分離工程と、を含むものである動物用吸収性物品の製造方法。
【請求項３】
前記固定部分離工程は、前記固定部を略Ｕの字状の切断線に沿って一部切り抜くものである請求項２記載の動物用吸収性物品の製造方法。
【請求項４】
前記止着用部材取付工程において、前記長尺状のテープ基材は一定幅を有するとともに、該テープ基材の幅中央の部分に該テープ基材の長手方向に亘って長尺状の前記止着用部材が配され、
前記切断工程は、前記テープ基材を、前記止着用部材の短手方向の配置幅よりも長い振り幅の前記長手方向へ連続する山谷からなる周期波曲線に沿って切断する第１切断工程と、前記テープ基材の一方端縁から対向する山の頂部もしくは谷の底部のうちいずれか遠い方に向って切断する一方、他方端縁から対向する山の谷部もしくは谷の底部のうちいずれか遠い方に向って切断することにより前記テープ基材を個々の止着テープである固定部に分断する第２切断工程と、を含むものである請求項２または３記載の動物用吸収性物品の製造方法。
【請求項５】
前記固定部分離工程において、前記固定部とともに前記固定部が取り付けられた前記腹当て部又は前記背当て部、あるいは前記腹当て部または前記背当て部の資材となるシート基材を切断する請求項２〜４のいずれか記載の動物用吸収性物品の製造方法。
【請求項６】
前記固定部分離工程後の前記腹当て部又は前記背当て部、あるいは前記腹当て部または前記背当て部の資材となるシート基材の両端における前記固定部の前記腹当て部から前記背当て部に向う方向の寸法は、４０ｍｍから２００ｍｍである請求項５記載の動物用吸収性物品の製造方法。
【発明の詳細な説明】
【技術分野】
【０００１】
本発明は、動物の下半身に装着させる動物用の吸収性物品の製造方法に関するものであり、具体的には、特に四足動物の足回り及び胴回りの双方においてしっかりと固定できる動物用吸収性物品の製造方法に関する。
【背景技術】
【０００２】
従来より動物用の吸収性物品としては、動物の腹側に当てられる腹当て部と背側に当てられる背当て部と、腹当て部と背当て部との間に位置する中間部とを備える縦長状のものが流通している。このようなものとしては、例えば特許文献１に記載されているペット用おむつがあり、かかるペット用おむつでは腹当て部の両側縁において止着テープが設けられており、この止着テープを背当て部に止着して固定することにより装着時の状態を維持できるようになっている。
【特許文献１】特開２００４−１５９５９１号公報
【発明の開示】
【発明が解決しようとする課題】
【０００３】
しかし、四足のペットに対しては、後ろ足の大腿部への締め付けがゆるいと後ろ足の動きにより吸収性物品と動物の排泄部位との密着性を維持することができず、排泄物の漏れの原因となってしまう。しかも、特に雄動物の場合には、性器が中間部の側部からはみ出してしまうおそれもある。このような四足動物の後ろ足の動きに対処するためには、直立歩行する人間用の吸収性物品とは異なり、腹当て部と背当て部とを動物の胴回りにしっかりと巻きつけて締め付けるのみならず、後ろ足の大腿部周辺において中間部をしっかり固定することも重要である。しかしながら、このような吸収性物品の製造方法についてはいまだ開示されていなかった。
【０００４】
このようなことから、本発明は、特に四足動物の後ろ足の大腿部周辺及び胴回りの双方に対してしっかり締め付けることが可能な固定部を有する動物用吸収性物品の製造方法を提供することを目的とする。
【課題を解決するための手段】
【０００５】
本発明者らは、片側縁に複数の固定手段を備えて装着時に胴回り及び大腿部周辺への好適な締め付けを実現できる動物用吸収性物品を、止着テープ（固定部）の転写装置を片側側縁に対して一つずつ用いるだけで製造できるようにした。具体的には、予め複数の固定突出片を備える固定部を取り付ける工程、あるいは、取り付けられた固定部を複数の固定突出片に分離する工程を含む製造方法とすることにより、複数の固定手段を備える動物用吸収性物品を製造できるようにした。より具体的には、本発明は以下のような製造方法を提供する。
【０００６】
（１）着用時において動物の腹側に当てられる腹当て部と背側に当てられる背当て部とを止着して固定するための固定手段を設ける工程を含む動物用吸収性物品の製造方法であって、前記固定手段を設ける工程には、長尺状のテープ基材に止着用部材を取り付けるための止着用部材取付工程と、前記止着用部材を取り付けた部分において固定突出片を少なくとも二つ有するように前記テープ基材を個々の固定部に切断する切断工程と、前記固定部を前記腹当て部または前記背当て部の両側縁、あるいは前記腹当て部または前記背当て部の資材となるシート基材の両端において、少なくとも一つずつ取り付ける固定部取付工程と、を含むものである動物用吸収性物品の製造方法。
【０００７】
本発明によれば、着用時に吸収性物品を固定するための固定手段を形成する固定部が、止着用部材を備えた凸部を予め複数備えるように製造されている。このため、かかる固定部を吸収性物品の本体、あるいはその資材に取り付けるだけで、固定突出片を片側縁に複数有する動物用吸収性物品を製造することができるようになっている。この固定突出片により、着用動物の身体各位で、例えば固定突出片が二つの場合には大腿部と胴回り部のそれぞれにおいて、好適な固定を行うことができる。
【０００８】
（２）前記固定突出片は一対のものであり、当該一対の固定突出片の間において、前記固定部が取り付けられた前記腹当て部又は前記背当て部、あるいは前記腹当て部または前記背当て部の資材となるシート基材を、前記固定部とともに、あるいは前記固定部とは無関係に、一部切り取る工程を含むものである（１）記載の動物用吸収性物品の製造方法。
【０００９】
（２）の発明によれば、固定突出片は片側で一対（即ち二つずつ）取り付けられており、この固定突出片同士の間で取り付けられた吸収性物品の本体あるいはその資材の一部も切り取られる。従って、着用時において固定突出片はその基盤となる吸収性物品の一部をも動かして固定することが可能となり、固定突出片の可動域が広がることとなる。
【００１０】
（３）着用時において動物の腹側に当てられる腹当て部と背側に当てられる背当て部とを止着して固定するための固定手段を設ける工程を含む動物用吸収性物品の製造方法であって、前記固定手段を設ける工程には、長尺状のテープ基材に止着用部材を取り付けるための止着用部材取付工程と、前記テープ基材を前記止着用部材を備えた一連のテープからなる個々の固定部に切断する切断工程と、前記固定部を前記腹当て部または前記背当て部の両側縁、あるいは前記腹当て部または前記背当て部の資材となるシート基材の両端において、少なくとも一つずつ取り付ける固定部取付工程と、当該取り付けられた固定部を切断して複数の固定突出片に分離する固定部分離工程と、を含むものである動物用吸収性物品の製造方法。
【００１１】
（３）の製造方法によれば、固定手段を設けるにあたり、当初から単独に形成された複数の固定突出片を個別に吸収性物品の本体部分に取り付けるのではなく、一連の帯状の固定部をまず取り付け、その後、この固定部を切断することにより複数の固定突出片へと分離するようになっている。このため、固定突出片の取り付けを複数回あるいは複数の箇所で行う必要がなく、その回数や位置調整をこまめに設定する必要がない。しかも、固定突出片への切断は、吸収性物品を形成する他の切断工程、例えば足繰り部分形成のための切断工程などと同時に行うようにすることにより、製造時間を従来よりも延長してしまうことなく好適な動物用吸収性物品の製造を行うことができる。
【００１２】
なお、この固定突出片の形成方法としては、固定部の段階では四角状のものであっても、凹凸を有するものであってもよく、吸収性物品本体やその資材に取り付けられた後に複数の固定突出片に分離されるものであれば全て含まれる。
【００１３】
（４）前記固定部分離工程は、前記固定部を略Ｕの字状の切断線に沿って一部切り抜くものである（３）記載の製造方法。
【００１４】
本発明によれば、固定部を固定突出片へと分離切断する段階において、単に直線状に切断するのではなく、Ｕの字状に切り抜いている。このようにすることにより固定突出片の可動域が広がり、装着時において固定突出片の締め付け方向、締め付け強度をより自由に設定できるようになっている。また、吸収性物品の装着作業を行う際に装着をする者が摘みやすい形状とすることもできるようになっている。なお、後述の（５）の製造方法によれば、このような切り抜きをする部分を少なくすることができ、原料となるテープ基材を無駄にすることがない。
【００１５】
（５）前記固定部は、前記止着用部材取付工程において一定幅を有する長尺状のテープ基材の幅中央の部分に当該テープ基材の長手方向に亘って長尺状の止着用部材を配されることにより製造された止着テープ基材を分断することにより凹状になる分断工程を経て形成されたものであり、当該分断工程は、前記止着用部材の短手方向の配置幅よりも長い振り幅の前記長手方向へ連続する山谷からなる周期波曲線に沿って切断する第１切断工程と、前記止着テープ基材の一方端縁から対向する山の頂部もしくは谷の底部のうちいずれか遠い方に向って切断する一方、他方端縁から対向する山の谷部もしくは谷の底部のうちいずれか遠い方に向って切断することにより前記止着テープ基材を個々の止着テープである固定部に分断する第２切断工程と、を含むものである（３）または（４）記載の製造方法。
【００１６】
（５）の製造方法によれば、吸収性物品の取り付け工程の前において、固定部が凹形状となっている。即ち、装着するときに好適な摘み部であって、かつ止着部となるような部分が予め二つ形成されている。従って、分離工程において凹形状の窪み部分に切断部を設けることにより、装着者が動物に吸収性物品を装着する際に摘みやすい形状の固定突出片とすることができる。また、窪み部分の存在により一つの固定部から形成される固定突出片同士の距離が広くなっているため、個々の固定突出片の可動領域を大きくすることができる。そしてこの凹形状は互いにかみ合うように配置されて切断されることとなるため、このような形状としてもテープ基材を無駄にすることがない。
【００１７】
（６）前記第２切断工程のタイミングを調整することにより、着用対象の動物に着用対象の動物に前記動物用吸収性物品の前記固定手段が個別対応可能となっている（５）記載の製造方法。
【００１８】
（６）の発明によれば、切断のタイミングを調整することにより、形成される固定突出片の大きさを変えることができる。例えば、後ろ足回り側に固定の強度を高める必要があるときには、テープ基材の進行方向に対して後ろ寄りの固定突出片の大きさを大きくするように切断のタイミングを設定する。これにより、前寄りの固定突出片（胴回りを固定するための固定突出片）となる凸部分は小さく、後寄りの固定突出片（後ろ足の大腿部を固定するための固定突出片）となる凸を大きく形成することができる。
【００１９】
（７）前記固定部分離工程において、前記固定部を取り付けられた前記腹当て部又は前記背当て部の側縁部が前記固定部の切り取り部分と同じ、あるいは前記固定部の切り取り部分より多くの部分を切と取るものである（３）から（６）いずれか記載の製造方法。
【００２０】
（７）の発明によれば、固定部のみならず、固定部を取り付けた吸収性物品の一部までも切り取ってしまう。これにより、固定突出片のみならず、固定突出片を取り付けた部分も装着時に可動することができるため一層好適な装着を行うことができる。しかも、このような効果を有する可動部を吸収性物品本体の製造工程で別途設ける必要がなく、安易な方法で容易に形成することができる。なお、切り抜く部分は固定部が取り付けられている部分だけを切り取るようにしても、それより大きな部分で切り取るようにしてもよい。この点、固定部よりも大きく切り取った場合には、可動部をより大きくすることができるため、装着作業における固定突出片の可動領域を一層大きくすることができる。これにより、装着する者が着用対象の動物に適した吸収性物品の装着状態の固定を行いやすくなる。
【００２１】
（８）前記固定部分離工程後の前記腹当て部又は前記背当て部、あるいは前記腹当て部または前記背当て部の資材となるシート基材の両端における前記固定部の前記腹当て部から前記背当て部に向う方向の寸法は、４０ｍｍから２００ｍｍ、好ましくは６０ｍｍから１６０ｍｍ、更に好ましくは８０ｍｍから１２０ｍｍである（７）記載の製造方法。
【００２２】
（８）の発明によれば、固定部の幅寸法は吸収性物品の完成状態（固定突出片と可動部が形成された後の状態）において上述の寸法となっている。このため、対象動物への装着時において、固定部が不必要に大きく装着作業を不便なものとしたり、あるいは、必要な止着が出来ないほど小さく装着を困難なものとすることがない。
【００２３】
（９）動物の腹側に当てられる腹当て部と、背側に当てられる背当て部とを備え、着用時において前記腹当て部と前記背当て部とを止着して固定する固定手段を前記腹当て部または前記背当て部の両側縁において有する動物用吸収性物品であって、前記固定手段となる固定部は長手方向と短手方向とを有する縦長形状のものであり、前記長手方向においては一方端部に一対の固定突出片を備え、前記短手方向においては少なくとも一方端部が略直線状のものである動物用吸収性物品。
【００２４】
（９）の発明によれば、固定部の少なくとも一方側縁が略直線状となっている。例えば、一方端部のみが略直線状の場合（後述する図９及び図１０参照）には、他方端部は略直線状ではなく、本来は必要でない部分が存在することとなる。しかし、上記一方端部は略直線状であるために不要な部分がほとんどあるいは全く存在せず、動物用吸収性物品の長手方向の前端部あるいは後端部にかかる一方端部をほぼ沿わせて取り付けることができる。即ち、動物用吸収性物品の前端部または後端部において、上記固定部の短手方向の端部に不要な部分が大きく存在している場合にはその寸法だけ固定部を内側に取り付けなくてはならないが、上記一方端部については、このような不要な部分がほとんどあるいは全く存在していないため、微妙な位置調整をすることなく取り付けることが可能になる。
【００２５】
（１０）前記固定部の前記短手方向において、両端部が直線状のものである（９）記載の動物用吸収性物品。
【００２６】
（１０）の発明によれば、固定部の両端部が直線状となっている。このため、完成した動物用吸収性物品の固定手段の両端部において、不要な部分が全く存在しないこととなり、機能的にも好ましく、また、資材の削減も可能となる。そして、吸収性物品本体やその資材に取り付けるときには、両端部に不要な部分が存在しているために固定部の取り付け位置が制限されるということがなくなり、固定部の取付位置の調整が容易となる。なお、このような動物用吸収性物品は、上記（３）から（８）いずれか記載の製造方法で製造可能なものがあり、前記固定部は前記第２切断工程における切断時において切断部分を直線状のものとすることにより製造することができる。
【００２７】
（１１）前記固定部は前記一対の固定突出片の間において切断されているものである（９）又は（１０）記載の動物用吸収性物品。
【００２８】
（１１）の発明によれば、固定部が固定突出片の間において切断されており、各固定突出片の可動域が広げられている。なお、このような固定部を備えた動物用吸収性物品は特に上述の（４）及び（７）により製造されることができる。
【発明の効果】
【００２９】
以上述べたように、本発明によれば、複数の部位で腹当て部と背当て部との固定を好適に行うことができる動物用吸収性物品を、従来の製造工程を複雑化したり製造時間を長くしたりすることなく製造することができる。しかも、固定する部材の基材の切断のタイミングを調整するという簡易な方法で、着用対象の動物に個別対応可能ともすることができる。また、固定手段を形成する固定部一方端部、あるいは両端部に不要な部分が存在しない動物用吸収性物品を提供することもできる。
【発明を実施するための最良の形態】
【００３０】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００３１】
＜第１実施形態＞
［基本構成］
図１は本発明の製造方法で製造される動物用吸収性物品であるペット用おむつを身体当接面から見た平面図であり、図２はこのペット用おむつの着用状態を示す図であり、図３はペット用おむつに取り付ける固定部の材料である止着テープ基材の切断部分を説明する図であり、図４は個別に分断された止着テープ（固定部）をペット用おむつ本体部の基材に貼着した状態を示す図であり、図５は固定部及び本体部の基材の切り取り部分を説明する図であり、図６は止着テープ基材を分断するための切断部を異なる位置に配置した場合を示す図であり、図７は図６に示す切断部で切断された固定部を示す図である。
【００３２】
図１に示すペット用おむつ１は、中間部１１と、この中間部１１を挟んで左右に連続する腹当て部１１Ａと背当て部１１Ｂとの３つの領域に区分されるものである。そして、着用するときには、図２に示すように、中間部１１は主に後ろ足の大腿部周辺に巻き付けられ、腹当て部１１Ａは大腿部よりも前方において動物の腹側に当てられ、背当て部１１Ｂは大腿部よりも前方において動物の背側に当てられる。その後、この状態を固定するために、本体部２に貼着されている固定突出片３１が被着テープ６に、固定突出片３２が被着テープ５にそれぞれ止着される。
【００３３】
図１に示すように、固定突出片３１は長手方向の両側縁に位置する可動部２１に、固定突出片３２は可動部２２にそれぞれ貼着により固定されており、凹部２３の存在により互いに独立して自由に曲げ変形可能となっている。このため、着用対象の動物の体型に合わせて被着テープ５及び被着テープ６の適切な位置で、固定突出片３１及び固定突出片３２を止着できるようになっている。
【００３４】
このペット用おむつ１の寸法は、縦方向の長さ寸法Ｌ１が５３０ｍｍ、幅方向の寸法Ｗ１が３２０ｍｍ、背当て部端部から尻尾を入れるためのＵ字状の切断線２９の端部までの寸法Ｌ２が３５０ｍｍ、腹当て部から切断線２９の端部までの寸法Ｌ３が１８０ｍｍとなっている。また、可動部２１及び２２の長さ寸法Ｗ２が４５ｍｍ、可動部２１及び２２において固定部３０が取り付けられている寸法Ｗ３が３８ｍｍ、固定突出片３１及び３２の長さ寸法Ｗ４が３８ｍｍであり、止着用部材１５の長さ寸法Ｗ５が２８ｍｍ、幅寸法Ｌ４が２７．５ｍｍとなっている。
【００３５】
［製造方法］
固定突出片３１及び固定突出片３２は元来分離しているものではなく、製造工程において分離されるものである。具体的には、図３に示すように、まず、固定部３０の基材である長尺状の止着テープ基材１０の短手方向の中央に、被着テープ５及び被着テープ６（図示せず）に止着可能な止着用部材１５を貼着する。そして、この止着用部材１５を跨ぐようにして設けられた前記長手方向へ連続する山谷からなる波状の周期波曲線１２に沿って止着テープ基材１０が上下に切断され（第１切断工程）、かつ、下端縁１０ａから山の頂部領域１２ａへ向かう部分で切断する分断部１３ａ、上端縁１０ｂから谷の底部領域１２ｂへ向う部分で切断する分断部１３ｂで切断されることにより幅方向に固定部の基材である止着テープ基材１０が切断され（第２切断工程）、個々の固定部へと分断される。これにより個々の止着テープである凹状の固定部３が形成される。そして、図４に示すように、この固定部３がペット用おむつ１の本体部の基材２０の所定位置に取り付けられる。なお、後述する第３実施形態のように、このとき固定部３の突出した部分を基材２０の側に折り返すようにしてもよい。
【００３６】
次に、固定部を固定突出片へと形成することとなるが、これは、ペット用おむつ本体部の基材２０に取り付けられた状態で行う。即ち、図５に示すように固定部３の不要箇所３ａを切り抜くことにより、固定部３が一対の固定突出片３１と固定突出片３２とに分離される。そして、この場合において、固定部３のみならずこの固定部３が固定されている基材２０の不要箇所２０ａも切り取る。具体的には、切り抜き線４１に沿って固定部３及び基材２０を切り抜く。これにより、固定部３が固定突出片３１及び固定突出片３２に分離され、基材２０に凹部２３が形成されて可動部２１及び可動部２２が適切な形に形成される。なお、切り抜いた余分な箇所についてはエアサクション等で回収する。この切り抜き工程は、図２に示すペット用おむつ本体部２の脚繰り部分２４を形成するための切り抜き線４２に沿って切り抜く工程と同時に行うことにより、一層効率よく行うことができる。その後、基材２０を幅方向に切り取り線４３に沿って分断することにより、個々のペット用おむつ１に分断される。
【００３７】
一対の固定突出片を製造する方法としては、上述のように、ペット用おむつ本体部の基材２０に固定部３を貼着してから分断するのではなく、当初から分断された個別の２個の固定突出片をそれぞれ貼着することにより行うこともできる。しかし、このようにした場合には転写装置をそれぞれの止着テープに対して備えて貼り合わせることとなり、おむつ本体部の基材の片側縁に対して転写装置が２台必要となる。即ち、テープカッター、テープ転写装置等の各設備を上記実施形態の倍数用意しなければならなくなる。このため、製造工程が複雑化するとともに設備投資がかかってしまうという問題がある。この点、上記実施形態の製造方法によれば、従来の装置において、固定部３の基材である止着テープ基材１０の送り量調整と止着テープ基材１０に波状の周期波曲線１２の切断を入れてここの固定部３とし、かつ、ペット用おむつ本体部の基材２０の切断工程においてかかる固定部３を分断すれば、２個の固定突出片を有するペット用おむつ１の製造を実現することができ、製造工程の延長や設備投資を抑えることができる。
【００３８】
［着用動物への個別対応］
上述した実施例によれば、ほぼ鏡面対称の形状となるように固定突出片３１と固定突出片３２とが形成されているが、止着テープ基材１０の幅方向の分断タイミングを変更することで、着用動物の体型に個別に対応可能とすることができる。例えば、上述の図３のように、分断部１３ａを周期波曲線１２の頂部領域１２ａの頂点の中央部分ではなく、図６に示すように頂部領域１２ａおいて進行方向に向ってやや谷状領域寄りに偏移して位置づける。同様に、分断部１３ｂを底部領域１２ｂの中央ではなく進行方向に向ってやや山状領域寄りに偏移させる。これにより、図７に示すように固定部３は足回り側に位置する固定突出片３２となる凸の大きさを大きくできることとなり、足回りの接着強度を高くする必要がある動物に好適なペット用おむつに利用することができる。このように、適宜分断工程における切断位置のタイミングを変更することで、着用動物に個別対応可能とすることができる。
【００３９】
＜第２実施形態＞
次に第２実施形態について説明する。図８は第２実施形態における切断方法を示す図であり、図９及び図１０は切断ラインを説明するための図である。
【００４０】
図８に示すように止着テープ基材１０を切断すると、固定部３０が形成された時点ですでに一対の固定突出片を備えるものとなっている。従って、この固定部３０を基材２０に取り付けるだけで、ペット用おむつ１の片側縁に対して固定突出片が２個ずつ、設けられるようになっている。
【００４１】
なお、切断ラインは、一つの固定部３０において固定突出片が２個ずつ含まれるようにできる形状であればよく、例えば図８に示すように周期波曲線１２において、凹部や凸部の中央において切断するようにしてもよく、図９に示すように周期波曲線１２の延長線上となるように直線状に切断してもよく、図１０に示すように止着テープ基材１０の下端縁１０ａ及び上端縁１０ｂに対して直角に設けるようにしてもよい。なお、図１０の場合には切断ラインは直線状ではなく略くの字状となる。そして、図９や図１０のようにした場合には、一方端部が略直線状となることになる。
【００４２】
＜第１実施形態と第２実施形態との比較＞
次に第１実施形態と第２実施形態とを比較する。図１１は第１実施形態についての説明図であり、図１２は第２実施形態についての説明図である。
【００４３】
第１実施形態（図３に示すように頂部領域が二等分して切断される場合（図６の場合ではない））と第２実施形態との比較につき、説明する。固定部３０の寸法は着用動物の大きさに対応して適宜決定されることとなるが、この寸法決定の基準となるのが図１１に示す支点間距離ａ及び図１２に示す支点間距離ａ’である。そして、一つの固定部３０の幅方向の長さをｃ、ｃ’、この固定部３０が備える凸となっている頂部域の一つの幅寸法をｂ、ｂ’とする。ここで、支点間距離ａを基準Ａとすると、第１実施形態は以下のように表すことができる。
【数１】
0004583301.tif 000002
【００４４】
同様に図１０に示す支点間距離ａ’を上述のａと同様に基準Ａとすると、第２実施形態は、以下のように表すことができる。
【数２】
0004583301.tif 000003
【００４５】
ここで両者を比較すると、幅方向の寸法が第１実施形態であれば４Ａ／３であり、第２実施形態であれば２Ａであるため、２Ａ／３だけ第１実施形態のほうが資材を削減できることとなる。即ち、同じ支点間距離Ａを作るためには、第２実施形態の製造方法では第１実施形態に比べて１．５倍（２Ａ÷４／３Ａ）の材料が必要となることになる。尚、頂部の幅は、第１実施形態でｂがＡ／３，第２実施形態でｂ’がＡ／２であり、第１実施形態のほうが狭くなっているが、せん断力を３０Ｎ以上、ｃの寸法を４０〜２００ｍｍとすれば、装着時における粘着力に悪影響を及ぼすことはない。
【００４６】
また、第１実施形態においては、上述したように凸部分の切断幅を調整することにより、着用動物に対応した装着必要強度に応じて動物の種類ごとに対応可能であるが、第２実施形態においてはこのような対応をすることはできない。更に、第１実施形態によれば、第２実施形態において形成されてしまう固定突出片の側部の不要な部分（図１２に示す領域１６）が形成されることがない。このため、ペット用おむつに取り付ける場合には、かかる不要な部分の存在により、固定部の取り付け位置が制限されることがなくなる。
【００４７】
以上述べたように、第１実施形態と第２実施形態とを比較した場合には、第１実施形態による固定部形成方法が、本発明においてはより好ましいということができる。
【００４８】
＜第３実施形態＞
図１３は第３実施形態の止着テープ基材の切断方法を説明するための図であり、図１４は分断された固定部をペット用おむつ本体部の基材に貼着した状態を示す図であり、図１５は固定部を切断する方法と場所を説明する図であり、図１６は固定部とペット用おむつ本体部の基材をそれぞれ切り抜いた状態を示す図であり、図１７はテープ基材への止着用部材取り付け方法の他の例を示す図である。
【００４９】
図１３に示すように、テープ基材に止着用部材の基材１５Ａ、基材１５Ｂを貼り合せて止着用テープ基材１０とし、これを所定の長さの切断部１４と所定の幅の分断部１３で個別の止着テープである固定部に分断する。次に、図１４に示すようにペット用おむつ本体部の基材２０の両端の所定位置に固定部３を片側縁に対して１個ずつ、転写して貼着する。そして、図１５に示すように固定部３が基材２０から突出している部分を基材２０の内側に位置するように折り返す。そして、固定部３の不要箇所を重なっている基材２０の一部と一緒に切り抜き線４１に沿って切り抜く。これと同時に、ペット用おむつ本体部の脚繰り部分を形成するための切断も切り抜き線４２に沿って行う。これにより、図１６に示すように、固定突出片３１及び固定突出片３２がそれぞれ形成され、また可動部２１及び可動部２２も適切な形に形成されることとなる。そして最後に、基材２０を幅方向に切断して個別のペット用おむつ１を形成する。
【００５０】
このようにした場合、Ｓ字カッターも不要で、転写装置も片側縁に対して一つですみ、設備投資を抑えることができるが、切り抜いて余分に捨てる部分が上述の実施形態に比べると多く、材料コストが高いという問題がある。なお、固定部の長さについて任意にカッターサイズを変更することにより、対応動物に適応させるための強度調整が可能となっている（例えば足回りをしっかり固定したい場合は、足回り側のカット長を長くできる）。
【００５１】
また、図１３に示すように、止着用部材の基材１５Ａと１５Ｂは一連のものではなく、図１７に示すように必要な箇所のみ取り付けられるように予め分断してあるようなものでもよい。このようにすることにより、止着用部材の使用量を少なくすることができる。
【００５２】
＜構成材料＞
固定部は樹脂フィルム、不織布、織布、あるいは樹脂フィルムと不織布との積層体などで構成されている。被着テープと止着用部材とのいずれか一方に多数の鉤状、またはキノコ型の突起が形成され、他方には、前記突起が掛け止めされる多数のループなどの被掛止部が形成されている。これはベルクロ（Velcro）ファスナー（登録商標）と称されるものである。また、固定突出片３１及び固定突出片３２を粘着テープで構成し、止着用部材を粘着層とすることも可能である。この場合、第１の被着テープ５と第２の被着テープ６は、樹脂フィルムで構成されることが好ましい。また、せん断力は好ましくは６０〜３０Ｎであり、より好ましくは４５〜５５Ｎである。
【図面の簡単な説明】
【００５３】
【図１】第１実施形態の製造方法で製造されたペット用おむつを身体当接面から見た平面図である。
【図２】前記実施形態に係るペット用おむつの着用状態を示す図である。
【図３】前記実施形態の製造方法において止着テープ基材を切断する部分を示す図である。
【図４】前記実施形態の製造方法で固定部をペット用おむつ本体部の基材に貼着した状態を示す図である。
【図５】前記実施形態の製造方法において固定部及び本体部の基材の切り取り部分を説明する図である。
【図６】前記実施形態の製造方法において止着テープ基材の異なる切断位置を示す図である。
【図７】図６に示す切断部で切断された固定部を示す図である。
【図８】第２実施形態に係る止着テープ基材の切断方法を説明するための図である。
【図９】第２実施形態の切断ラインの他の例を示す図である。
【図１０】第２実施形態の切断ラインの他の例を示す図である。
【図１１】第２実施形態と比較するための第１実施形態の図である。
【図１２】第１実施形態と比較するための第２実施形態の図である。
【図１３】第３実施形態に係る止着テープ基材の切断方法を説明するための図である。
【図１４】図１３で分断された固定部をペット用おむつ本体部の基材に貼着した状態を示す図である。
【図１５】第３実施形態における固定部を切断する方法と場所を説明する図である。
【図１６】第３実施形態における固定部とペット用おむつ本体部の基材とをそれぞれ切り抜いた状態を示す図である。
【図１７】第３実施形態におけるテープ基材への止着用部材取り付け方法の他の例を示す図である。
【符号の説明】
【００５４】
１  ペット用おむつ
２  ペット用おむつ本体
３  固定部（止着テープ）
５  被着テープ
６  被着テープ
１０  止着シート
１１  中間部
１１Ａ  腹当て部
１１Ｂ  背当て部
１２、１７  周期波曲線
１２ａ  頂部領域
１２ｂ  底部領域
１３  分断部
１４  切断部
１５  止着用部材
２０  基材
２１  可動部
２２  可動部
２３  凹部
３１、３２  固定突出片
【図１】
0004583301.tif 000004
【図２】
0004583301.tif 000005
【図３】
0004583301.tif 000006
【図４】
0004583301.tif 000007
【図５】
0004583301.tif 000008
【図６】
0004583301.tif 000009
【図７】
0004583301.tif 000010
【図８】
0004583301.tif 000011
【図９】
0004583301.tif 000012
【図１０】
0004583301.tif 000013
【図１１】
0004583301.tif 000014
【図１２】
0004583301.tif 000015
【図１３】
0004583301.tif 000016
【図１４】
0004583301.tif 000017
【図１５】
0004583301.tif 000018
【図１６】
0004583301.tif 000019
【図１７】
0004583301.tif 000020